(57)【特許請求の範囲】
【請求項１】
冷・温風生成機で生成した冷風または温風を送気する、表裏面に塩化ビニール樹脂系塗装を施し、且つ先端部に排気開口を備えて形成された筒状のガラスクロスより成るダクトを、居室の下面に断熱材を上面に貼着したコンクリートスラブと、下面に床下地ボードを設置した床仕上材との間に形成された床下空間に敷設し、該ダクト内に前記冷風または温風が流れ込む開口部を備えた気流方向変換器が、前記床下地ボードとの間に隙間を設けて複数個間隔を置いて、下流側に行くに従い前記開口部の位置を送風方向に対して徐々に面積が広がる位置に配置するようにして設置され、
前記各気流方向変換器は金属製の有底の円筒状の器の側面に開口部を開口すると共に、上部円筒部を下部円筒部の径より小径に絞り込んだ吹出口を備え、且つ前記ダクトを破断して、該ダクト上面に前記各気流方向変換器の上方部を突出させてダクトに密着固定する一方、前記ダクト内に配置された前記各気流方向変換器の外周面と該ダクトの内周面間に送気用通路を備え、更に該各気流方向変換器の上方部をコンクリートスラブの上面に立設固定された金属製支持金物に固定して形成され、
前記ダクト内に送気された冷風または温風の水平気流を、前記各開口部より流れ込ませて各気流方向変換器で垂直気流に変換し、該各気流方向変換器からの風速をほぼ均一にして床下地ボードの下面に垂直に噴射させて、冷風または温風を放射状に拡散させ、該床下地ボードからの熱伝導により床仕上材全面を平均してむらなく冷却または加熱して、該床仕上材から生じる冷輻射または温輻射で居室内の床輻射冷暖房を行うと共に、前記床仕上材を冷却また加温した後の冷風または温風と、前記各気流方向変換器で捕捉されず前記ダクトの先端部の排気開口から排気された冷風または温風とを床下空間に送気して、これら冷風または温風を前記床仕上材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
【請求項２】
冷・温風生成機で生成した冷風または温風を送気する、表裏面に塩化ビニール樹脂系塗装を施し、且つ先端部に排気開口を備えて形成された筒状のガラスクロスより成るダクトを、居室の上面において断熱材を下面に貼着した天井仕切り板と天井材との間に形成された天井空間に敷設し、該ダクト内に前記冷風または温風が流れ込む開口部を備えた気流方向変換器が、天井材との間に隙間を設けて複数個間隔を置いて、下流側に行くに従い前記開口部の位置を送風方向に対して徐々に面積が広がる位置に配置するようにして設置され、
前記各気流方向変換器は金属製の天板を備えた円筒状の器の側面に開口部を開口すると共に、下部円筒部を上部円筒部の径より小径に絞り込んだ吹出口を備え、且つ前記ダクトを破断して、該ダクト下面に前記各気流方向変換器の下方部を突出させてダクトに密着固定する一方、前記ダクト内に配置された前記各気流方向変換器の外周面と該ダクトの内周面間に送気用通路を備え、更に該各気流方向変換器の下方部を天井仕切り板の下面に垂設固定された金属製支持金物に固定して形成され、
前記ダクト内に送気された冷風または温風の水平気流を、前記各開口部より流れ込ませて各気流方向変換器で垂直気流に変換し、該各気流方向変換器からの風速をほぼ均一にして天井材の上面に垂直に噴射させて、冷風または温風を放射状に拡散させ、前記天井材全面を平均してむらなく冷却または加熱して、該天井材から生じる冷輻射または温輻射で居室内の天井輻射冷暖房を行うと共に、前記天井材を冷却また加温した後の冷風または温風と、前記気流方向変換器で捕捉されず前記ダクトの先端部の排気開口から排気した冷風または温風とを天井空間に送気して、これら冷風または温風を前記天井材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
【請求項３】
冷・温風生成機で生成した冷風または温風を送気する、表裏面に塩化ビニール樹脂系塗装を施し、且つ先端部を密閉して形成された筒状のガラスクロスより成るダクトを、居室の下面に断熱材を上面に貼着したコンクリートスラブと、下面に床下地ボードを設置した床仕上材との間に形成された床下空間に敷設し、該ダクト内に前記冷風または温風が流れ込む開口部を備えた気流方向変換器が、前記床下地ボードとの間に隙間を設けて複数個間隔を置いて、下流側に行くに従い前記開口部の位置を送風方向に対して徐々に面積が広がる位置に配置するようにして設置され、
前記各気流方向変換器は金属製の有底の円筒状の器の側面に開口部を開口すると共に、上部円筒部を下部円筒部の径より小径に絞り込んだ吹出口を備え、且つ前記ダクトを破断して、該ダクト上面に前記各気流方向変換器の上方部を突出させてダクトに密着固定する一方、前記ダクト内に配置された前記各気流方向変換器の外周面と該ダクトの内周面間に送気用通路を備え、更に該各気流方向変換器の上方部をコンクリートスラブの上面に立設固定された金属製支持金物に固定して形成され、
前記ダクト内に送気された冷風または温風の水平気流を、前記各開口部より流れ込ませて各気流方向変換器で垂直気流に変換し、該各気流方向変換器からの風速をほぼ均一にして床下地ボードの下面に垂直に噴射させて、冷風または温風を放射状に拡散させ、該床下地ボードからの熱伝導により床仕上材全面を平均してむらなく冷却または加熱して、該床仕上材から生じる冷輻射または温輻射で居室内の床輻射冷暖房を行うと共に、前記床仕上材を冷却また加温した後の冷風または温風を床下空間に送気して、これら冷風または温風を前記床仕上材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
【請求項４】
冷・温風生成機で生成した冷風または温風を送気する、表裏面に塩化ビニール樹脂系塗装を施し、且つ先端部を密閉して形成された筒状のガラスクロスより成るダクトを、居室の上面において断熱材を下面に貼着した天井仕切り板と天井材との間に形成された天井空間に敷設し、該ダクト内に前記冷風または温風が流れ込む開口部を備えた気流方向変換器が、天井材との間に隙間を設けて複数個間隔を置いて、下流側に行くに従い前記開口部の位置を送風方向に対して徐々に面積が広がる位置に配置するようにして設置され、前記各気流方向変換器は金属製の天板を備えた円筒状の器の側面に開口部を開口すると共に、下部円筒部を上部円筒部の径より小径に絞り込んだ吹出口を備え、且つ前記ダクトを破断して、該ダクト下面に前記各気流方向変換器の下方部を突出させてダクトに密着固定する一方、前記ダクト内に配置された前記各気流方向変換器の外周面と該ダクトの内周面間に送気用通路を備え、更に該各気流方向変換器の下方部を天井仕切り板の下面に垂設固定された金属製支持金物に固定して形成され、前記ダクト内に送気された冷風または温風の水平気流を、前記各開口部より流れ込ませて各気流方向変換器で垂直気流に変換し、該各気流方向変換器からの風速をほぼ均一にして天井材の上面に垂直に噴射させて、冷風または温風を放射状に拡散させ、前記天井材全面を平均してむらなく冷却または加熱して、該天井材から生じる冷輻射または温輻射で居室内の天井輻射冷暖房を行うと共に、前記天井材を冷却また加温した後の冷風または温風を前記天井材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
【発明の詳細な説明】
【技術分野】
【０００１】
本発明は、居室の床下空間または天井空間に、表裏面に塩化ビニール樹脂系塗装を施した不燃性、強度性、耐熱性および断熱性を備えた筒状のガラスクロスより成るダクトを敷設し、該ダクト内に空気調和機や蓄熱暖房機等の冷・温風生成機で生成された冷風または温風を送気し、前記ダクト内に複数個間隔をおいて設置された気流方向変換器で、前記冷風または温風の水平気流を垂直気流に変換し、床下地ボードまたは天井材に前記各気流方向変換器からほぼ均一風速で噴射して放射状に拡散させて、該床下地ボードからの熱伝導により床仕上材または天井材の全面を効率よく平均して冷却または加熱して、該床仕上材または天井材から生じる冷輻射や温輻射により居室内を輻射冷暖房すると共に、前記床仕上材または天井材を冷却また加温した後の冷風または温風を、前記床下空間または天井空間に送気して、吹出口より居室内に吹き出して、居室の冷暖房を行う冷暖房システムに関するものである。
【背景技術】
【０００２】
空気調和や蓄熱暖房機等の冷・温風生成機で生成した冷風や温風を送気する不燃性樹脂フィルムダクトを床下空間や天井空間に敷設し、該フィルムダクト内に気流方向変換器を複数個設置し、前記ダクト内の冷風や温風の水平気流を気流方向変換器で垂直気流に変換し、床下地ボードの下面または天井材の上面に垂直に噴流させて冷風や温風を放射状に拡散させ、床仕上材または天井材を効率良く冷却または加熱して、床仕上材または天井材から生じる冷輻射や温輻射熱の効果を高めて、居室の床輻射冷暖房を行うという先行技術文献を遡及検索したところ、下記の特許文献１に記載された不燃性樹脂フィルムダクトを利用した空気噴流式輻射空調（冷暖房）システムが開示されている。
【０００３】
前記特許文献１記載の冷暖房システムでは、冷風や温風を送気するダクトの素材として、不燃性樹脂フィルムを使用しているが、耐熱性および断熱性を備えていないために、空気調和機または蓄熱暖房機等の冷・温風生成機で生成された冷風または温風による冷気または暖気の一部が、気流方向変換器に到達する前に抜けてしまうことがあるので、前記冷・温風生成機で生成された冷風または温風が、その温度を維持して各気流方向変換器に送風されない場合があり、そのため前記冷風または温風の有効利用を図ることができないという課題があった。
【０００４】
また、前記特許文献１記載の冷暖房システムにおいては、冷・温風生成機で生成された冷風または温風は、該冷・温風生成機の近くではその風速が速く、離れるに従い徐々に風速が遅くなるのにも拘らず、前記風速の違いに対応する手段が備わっていないため、各気流方向変換器の開口部から流れ込んだ冷風または温風は、上流側と下流側では各気流方向変換器から吹き出される冷風または温風の風速が異なることになり、その結果、前記各気流方向変換器から吹き出される冷風または温風が均一風速で床仕上材または天井材に噴射されて、これら全面を平均して冷却または加熱することができないので、該床仕上材または天井材からの冷輻射または温輻射にむらがあり、効率よく居室の冷暖房ができないという課題があった。
【先行技術文献】
【特許文献】
【０００５】
【特許文献１】特開２００５−３３７６９０号公報
【発明の概要】
【発明が解決しようとする課題】
【０００６】
本発明は前記各課題を解決すべくなされたものであって、空気調和機や蓄熱暖房機等の冷・温風生成機で生成された冷風または温風が流れ込む開口部を備えた気流方向変換器を、表裏面に塩化ビニール樹脂系塗装を施した筒状のガラスクロスより成るダクト内に、間隔を有して複数個、下流側に行くに従い、前記開口部の位置を送風方向に対して徐々に面積が広がる位置に配置するようにして設置し、前記ダクト内に送気された冷風または温風の水平気流を前記各気流方向変換器で垂直気流に変換し、該各気流方向変換器からその風速をほぼ均一にして床下地ボードまたは天井材に噴射して放射状に拡散させて、該床下地ボードからの熱伝導により床仕上材または天井材の全面を平均して冷却または加熱することができる共に、耐熱性および断熱性を備えた塩化ビニール樹脂系塗装を施した筒状のガラスクロスより成るダクトを使用することにより、空気調和機または蓄熱暖房機等の冷・温風生成機で生成された冷風または温風による冷気または暖気が、前記各気流方向変換器に到達する前に抜けてしまうことがなく、そのため前記冷風または温風の有効利用を図ることができるという塩化ビニール樹脂系塗装を施した筒状のガラスクロスより成るダクトを用いた冷暖房システムを提供することにある。
【課題を解決するための手段】
【０００７】
本発明は、請求項１において、冷・温風生成機で生成した冷風または温風を送気する、表裏面に塩化ビニール樹脂系塗装を施し、且つ先端部に排気開口を備えて形成された筒状のガラスクロスより成るダクトを、居室の下面に断熱材を上面に貼着したコンクリートスラブと、下面に床下地ボードを設置した床仕上材との間に形成された床下空間に敷設し、該ダクト内に前記冷風または温風が流れ込む開口部を備えた気流方向変換器が、前記床下地ボードとの間に隙間を設けて複数個間隔を置いて、下流側に行くに従い前記開口部の位置を送風方向に対して徐々に面積が広がる位置に配置するようにして設置され、前記各気流方向変換器は金属製の有底の円筒状の器の側面に開口部を開口すると共に、上部円筒部を下部円筒部の径より小径に絞り込んだ吹出口を備え、且つ前記ダクトを破断して、該ダクト上面に前記各気流方向変換器の上方部を突出させてダクトに密着固定する一方、前記ダクト内に配置された前記各気流方向変換器の外周面と該ダクトの内周面間に送気用通路を備え、更に該各気流方向変換器の上方部をコンクリートスラブの上面に立設固定された金属製支持金物に固定して形成され、前記ダクト内に送気された冷風または温風の水平気流を、前記各開口部より流れ込ませて各気流方向変換器で垂直気流に変換し、該各気流方向変換器からの風速をほぼ均一にして床下地ボードの下面に垂直に噴射させて、冷風または温風を放射状に拡散させ、該床下地ボードからの熱伝導により床仕上材全面を平均してむらなく冷却または加熱して、該床仕上材から生じる冷輻射または温輻射で居室内の床輻射冷暖房を行うと共に、前記床仕上材を冷却また加温した後の冷風または温風と、前記各気流方向変換器で捕捉されず前記ダクトの先端部の排気開口から排気された冷風または温風とを床下空間に送気して、これら冷風または温風を前記床仕上材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
請求項２において、冷・温風生成機で生成した冷風または温風を送気する、表裏面に塩化ビニール樹脂系塗装を施し、且つ先端部に排気開口を備えて形成された筒状のガラスクロスより成るダクトを、居室の上面において断熱材を下面に貼着した天井仕切り板と天井材との間に形成された天井空間に敷設し、該ダクト内に前記冷風または温風が流れ込む開口部を備えた気流方向変換器が、天井材との間に隙間を設けて複数個間隔を置いて、下流側に行くに従い前記開口部の位置を送風方向に対して徐々に面積が広がる位置に配置するようにして設置され、前記各気流方向変換器は金属製の天板を備えた円筒状の器の側面に開口部を開口すると共に、下部円筒部を上部円筒部の径より小径に絞り込んだ吹出口を備え、且つ前記ダクトを破断して、該ダクト下面に前記各気流方向変換器の下方部を突出させてダクトに密着固定する一方、前記ダクト内に配置された前記各気流方向変換器の外周面と該ダクトの内周面間に送気用通路を備え、更に該各気流方向変換器の下方部を天井仕切り板の下面に垂設固定された金属製支持金物に固定して形成され、前記ダクト内に送気された冷風または温風の水平気流を、前記各開口部より流れ込ませて各気流方向変換器で垂直気流に変換し、該各気流方向変換器からの風速をほぼ均一にして天井材の上面に垂直に噴射させて、冷風または温風を放射状に拡散させ、前記天井材全面を平均してむらなく冷却または加熱して、該天井材から生じる冷輻射または温輻射で居室内の天井輻射冷暖房を行うと共に、前記天井材を冷却また加温した後の冷風または温風と、前記気流方向変換器で捕捉されず前記ダクトの先端部の排気開口から排気した冷風または温風とを天井空間に送気して、これら冷風または温風を前記天井材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
請求項３において、冷・温風生成機で生成した冷風または温風を送気する、表裏面に塩化ビニール樹脂系塗装を施し、且つ先端部を密閉して形成された筒状のガラスクロスより成るダクトを、居室の下面に断熱材を上面に貼着したコンクリートスラブと、下面に床下地ボードを設置した床仕上材との間に形成された床下空間に敷設し、該ダクト内に前記冷風または温風が流れ込む開口部を備えた気流方向変換器が、前記床下地ボードとの間に隙間を設けて複数個間隔を置いて、下流側に行くに従い前記開口部の位置を送風方向に対して徐々に面積が広がる位置に配置するようにして設置され、前記各気流方向変換器は金属製の有底の円筒状の器の側面に開口部を開口すると共に、上部円筒部を下部円筒部の径より小径に絞り込んだ吹出口を備え、且つ前記ダクトを破断して、該ダクト上面に前記各気流方向変換器の上方部を突出させてダクトに密着固定する一方、前記ダクト内に配置された前記各気流方向変換器の外周面と該ダクトの内周面間に送気用通路を備え、更に該各気流方向変換器の上方部をコンクリートスラブの上面に立設固定された金属製支持金物に固定して形成され、前記ダクト内に送気された冷風または温風の水平気流を、前記各開口部より流れ込ませて各気流方向変換器で垂直気流に変換し、該各気流方向変換器からの風速をほぼ均一にして床下地ボードの下面に垂直に噴射させて、冷風または温風を放射状に拡散させ、該床下地ボードからの熱伝導により床仕上材全面を平均してむらなく冷却または加熱して、該床仕上材から生じる冷輻射または温輻射で居室内の床輻射冷暖房を行うと共に、前記床仕上材を冷却また加温した後の冷風または温風を床下空間に送気して、これら冷風または温風を前記床仕上材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
請求項４において、冷・温風生成機で生成した冷風または温風を送気する、表裏面に塩化ビニール樹脂系塗装を施し、且つ先端部を密閉して形成された筒状のガラスクロスより成るダクトを、居室の上面において断熱材を下面に貼着した天井仕切り板と天井材との間に形成された天井空間に敷設し、該ダクト内に前記冷風または温風が流れ込む開口部を備えた気流方向変換器が、天井材との間に隙間を設けて複数個間隔を置いて、下流側に行くに従い前記開口部の位置を送風方向に対して徐々に面積が広がる位置に配置するようにして設置され、前記各気流方向変換器は金属製の天板を備えた円筒状の器の側面に開口部を開口すると共に、下部円筒部を上部円筒部の径より小径に絞り込んだ吹出口を備え、且つ前記ダクトを破断して、該ダクト下面に前記各気流方向変換器の下方部を突出させてダクトに密着固定する一方、前記ダクト内に配置された前記各気流方向変換器の外周面と該ダクトの内周面間に送気用通路を備え、更に該各気流方向変換器の下方部を天井仕切り板の下面に垂設固定された金属製支持金物に固定して形成され、前記ダクト内に送気された冷風または温風の水平気流を、前記各開口部より流れ込ませて各気流方向変換器で垂直気流に変換し、該各気流方向変換器からの風速をほぼ均一にして天井材の上面に垂直に噴射させて、冷風または温風を放射状に拡散させ、前記天井材全面を平均してむらなく冷却または加熱して、該天井材から生じる冷輻射または温輻射で居室内の天井輻射冷暖房を行うと共に、前記天井材を冷却また加温した後の冷風または温風を前記天井材の下流側先端部に設けられた吹出開口より居室内に吹き出して、居室内の冷暖房を行うことを特徴とする表裏面に塩化ビニール樹脂系塗装を施した筒状のガラスクロスより成るダクトを用いた冷暖房システム。
を提供することにより、前記課題を解決した。
【発明の効果】
【０００８】
前記構成より成る本発明は、空気調和機や蓄熱暖房機等の冷・温風生成機で生成された冷風または温風が流れ込む開口部を備えた気流方向変換器を、表裏面に塩化ビニール樹脂系塗装を施した筒状のガラスクロスより成るダクト内に、間隔を有して複数個、下流側に行くに従い、前記開口部の位置を送風方向に対して徐々に面積が広がる位置に配置するようにして設置し、前記ダクト内に送気された冷風または温風の水平気流を前記各気流方向変換器で垂直気流に変換し、該各気流方向変換器からその風速をほぼ均一にして床下地ボードまたは天井材に噴射して放射状に拡散させて、該床下地ボードからの熱伝導により床仕上材または天井材の全面を平均して冷却または加熱することができ、更に前記ダクトは耐熱性および断熱性を備えているため、前記冷・温風生成機で生成された冷風または温風による冷気または暖気が、前記各気流方向変換器に到達する前に該ダクト外へ抜けてしまうことがないので、床仕上材または天井材から生じる冷輻射や温輻射の効果を高めて居室内の床輻射冷暖房を行うことができる。
【図面の簡単な説明】
【０００９】
【図１】本発明の実施例１の表裏面に塩化ビニール樹脂系塗装を施した筒状のガラスクロスより成るダクトを用いた冷暖房システムを示す概略縦断面図である。
【図２】図１のＡ―Ａ線拡大縦断面図である。
【図３】本発明実施例１の表裏面に塩化ビニール樹脂系塗装を施した筒状のガラスクロスより成るダクトを用いた冷暖房システムにおける気流方向変換器の拡大斜視図である。
【図４】本発明の実施例２の表裏面に塩化ビニール樹脂系塗装を施した筒状のガラスクロスより成るダクトを用いた冷暖房システムを示す概略縦断面図である。
【図５】図４のＢ―Ｂ線拡大縦断面図である。
【図６】本発明実施例２の表裏面に塩化ビニール樹脂系塗装を施した筒状のガラスクロスより成るダクトを用いた冷暖房システムにおける気流方向変換器の拡大斜視図である。
【図７】本発明の実施例３の表裏面に塩化ビニール樹脂系塗装を施した筒状のガラスクロスより成るダクトを用いた冷暖房システムを示す概略縦断面図である。
【図８】本発明の実施例４の表裏面に塩化ビニール樹脂系塗装を施した筒状のガラスクロスより成るダクトを用いた冷暖房システムを示す概略縦断面図である。
【実施例１】
【００１０】
本発明の実施例１を図１〜図３を用いて詳細に説明する。実施例１は、空気調和機や蓄熱暖房機等の冷・温風生成機で生成した冷風や温風を送気する、表裏面に塩化ビニール樹脂系塗装を施した筒状のガラスクロスより成るダクトを、床下空間に設置するタイプの冷暖房システムである。
【００１１】
すなわち、実施例１による冷暖房システムは、空気調和機や蓄熱暖房機等の冷・温風生成機で生成した冷風または温風を送気する、表裏面に塩化ビニール樹脂系塗装を施し、先端部に排気開口を備えた筒状のガラスクロスより成るダクトを床下空間に敷設し、該ダクト内に前記冷風または温風が流れ込む開口部を備えた気流方向を変換する気流方向変換器を、間隔を有して複数個、下流側に行くに従い、前記開口部の位置を送風方向に対して徐々に面積が広がる位置に配置するようにして設置し、前記ダクト内に送気された冷風または温風の水平気流を、前記開口部より流れ込ませて各気流方向変換器で垂直気流に変換し、該各気流方向変換器からの風速をほぼ均一にして床下地ボードの下面に垂直に噴射させて、冷風または温風を放射状に拡散させ、該床下地ボードからの熱伝導により床仕上材の全面を平均してむらなく冷却または加熱して、該床仕上材から生じる冷輻射や温輻射の効果を高めて居室内の床輻射冷暖房を行うと共に、前記床仕上材を冷却また加温した後の冷風または温風と、前記筒状のダクトの先端部の排気開口から前記気流方向変換器で捕捉されなかった冷風または温風を床下空間に送気して、これら冷風または温風を前記床仕上材の下流側先端部に設けられた吹出開口より居室内に吹き出して、居室内の冷暖房を行う冷暖房システムである。以下、実施例１の冷暖房システムにつき、図を用いて更に詳細に説明する。
【００１２】
図１に示すように、居室１の下面に、断熱材２を上面に貼着したコンクリートスラブ３と、下面に床下地ボード４を設置した床仕上材５との間に床下空間６を形成し、前記居室１の壁際に設置された空気調和機や蓄熱暖房機等の冷・温風生成機７の送気管８に、筒状のガラスクロスより成るダクト９の基端部を連結して、該ダクト９内に前記冷風または温風が送気できるよう形成されている。
【００１３】
前記ダクト９は、前記冷風または温風が送気されてチューブ状に膨らむことができるよう、柔軟性を有すると共に、不燃性、強度性、耐熱性および断熱性を備え、更に該ダクト９内に送気された冷風または温風が漏洩するのを防止すべく、表裏面に塩化ビニール樹脂系塗装を施したガラスクロスにより横長筒状に形成されている。なお、前記ダクト９の先端部は密封することなく開口されて、排気開口１０が形成されている。
【００１４】
前記ダクト９内の適位置には、金属製の有底の円筒状の器１１の側面に開口部１２を開口すると共に、上部円筒部１３を下部円筒部１４の１／２径程度の小径に絞り込んだ吹出口１５を備えてボトル状に形成された気流方向変換器１６が、床下地ボード４との間に隙間を設けて間隔を置いて複数個設置され、更に図２に示すように前記ダクト９内に配置された各気流方向変換器１６の外周面と該ダクト９の内周面間には、送気用通路１７が形成されている。
【００１５】
前記各気流方向変換器１６は、前記冷・温風生成機７から送気された冷風または温風が流れ込む開口部１２を、その開口面積を送風方向に対して上流側が狭く、下流側に行くに従い広くなるよう、図１に示すように、該開口部１２の位置をずらして、水平気流と対向するようダクト９内にそれぞれ間隔を有して配置すると共に、前記各気流方向変換器１６の上部を前記ダクト９を破断して、該ダクト９上面に突出させて、該ダクト９のガラスクロスを前記各気流方向変換器１６の上部の外周面に紐あるいは接着剤等により、締め付けあるいは貼着して密着固定し、更に前記コンクリートスラブ３上に立設固定された金属製支持金物１８の上端部を、前記気流方向変換器１６の前記突出した前記上部の外周面に固着して、該気流方向変換器１６が前記ダクト９内において動揺することなく固定されている。なお、図２においては、ダクト９のガラスクロスを前記各気流方向変換器１６の上部の外周面に紐１９で締め付けている状態が図示されている。
【００１６】
前記のように、前記ダクト９内に前記複数個の気流方向変換器１６を、風速が早い上流側から風速が遅い下流側への送風が、前記各気流方向変換器１６の各開口部１２から流れ込む量を調整するために、前記各開口部１２の位置を上流側から下流側方向に行くに従い徐々に開口面積が広がるよう、図１に示すように、間隔を有してその位置をずらして配置することにより、前記冷・温風生成機７に近接した位置の送風量は多く、且つ流速も速く、下流側に行くに従い、徐々に送風量も少なく、風速も遅くなるので、前記各開口部１２から平均に送風が流れ込むことができる。また、前記ダクト９は、耐熱性および断熱性を備えているため、ダクト９内に送気された冷風または温風による冷気または暖気が、前記各気流方向変換器１６に到達する前に該ダクト９外へ抜けてしまうことがない。なお、図中、５０は断熱材５１を付設した居室１の壁であり、また、５２は断熱材５３を付設した天井部材である。
【００１７】
前記構成より成るダクト９内に冷・温風生成機７で生成された冷風または温風を送気すると、先ず１番上流側の気流方向変換器１６へ流れてその開口部１２へ流れ込むが、前記１番上流側の気流方向変換器１６の開口部１２へ流れ込まなかった前記冷風または温風は、前記１番上流側の気流方向変換器１６の外周面と前記ダクト９の内周面間の送気用通路１７を経て、２番目に位置する気流方向変換器１６へ流れ、その開口部１２へ流れ込む。以下同様にして、最終位置の気流方向変換器１６へ流れて、その開口部１２へ流れ込むよう形成されている。
【００１８】
また、前記ダクト９内に送気された冷風または温風は、水平気流となって流れ、前記各開口部１２に平均に送風が流れ込むことができるよう、その開口部１２の位置をずらして間隔を有して複数個配置された各気流方向変換器１６の開口部１２から前記冷風または温風が流れ込み、そして前記流れ込んだ冷風または温風は、図３の矢印で示すように、前記気流方向変換器１６の内周壁面に沿って流れを垂直気流に変換して上昇し、口径を絞り込んだ吹出口１５より流速を速めて床下地ボード４の下面に風速をほぼ均一にして垂直に噴射されて、該床下地ボード４の下面で冷風または温風を放射状に拡散させ、該床下地ボード４からの熱伝導により床仕上材５全面を平均してむらなく冷却または加熱して、該床仕上材５から生じる冷輻射または温輻射熱の効果を高めて、居室１の床輻射冷暖房を行うことができる。
【００１９】
そして、前記床仕上材５を冷却または加熱した後の冷風または温風、および前記各気流方向変換器１６で捕捉されず、ダクト９の先端の排気開口１０から排気される冷風または温風は、床下空間６を通過して、床仕上材５の下流側先端部に設けられた吹出開口２０から居室１内に吹き出されて、該居室１内の空気を冷却または加熱し、その後、前記冷却または加熱した後の空気は、冷・温風生成機７に吸気されて再び冷却または加温して循環利用される。
【００２０】
なお、前記説明においては、冷・温風生成機７に１本のダクト９が連結されているものとして説明したが、冷・温風生成機７に図示していない分岐管を設け、該分岐管を介して、複数本のダクト９を連結することも可能である。
【実施例２】
【００２１】
次に本発明の実施例２を図４〜図６を用いて詳細に説明する。実施例２は、空気調和機や蓄熱暖房機等の冷・温風生成機で生成した冷風や温風を送気する、表裏面に塩化ビニール樹脂系塗装を施した筒状のガラスクロスより成るダクトを天井空間に設置するタイプの冷暖房システムである。
【００２２】
すなわち、実施例２による冷暖房システムは、空気調和機や蓄熱暖房機等の冷・温風生成機で生成した冷風または温風を送気する、表裏面に塩化ビニール樹脂系塗装を施し、先端部に排気開口を備えた筒状のガラスクロスより成るダクトを天井空間に敷設し、該ダクト内に前記冷風または温風が流れ込む開口部を備えた気流方向を変換する気流方向変換器を、間隔を有して複数個、下流側に行くに従い、前記開口部の位置を送風方向に対して徐々に面積が広がる位置に配置するようにして設置し、前記ダクト内に送気された冷風または温風の水平気流を、前記開口部より流れ込ませて各気流方向変換器で垂直気流に変換し、該各気流方向変換器からの風速をほぼ均一にして天井材の上面に垂直に噴射させて、冷風または温風を放射状に拡散させ、天井材の全面を平均してむらなく冷却または加熱して、該天井材から生じる冷輻射や温輻射の効果を高めて居室内の天井輻射冷暖房を行うと共に、前記天井材を冷却また加温した後の冷風または温風と、前記筒状のダクトの先端部の排気開口から前記各気流方向変換器で捕捉されなかった冷風または温風を天井空間に送気して、これら冷風または温風を前記天井材の下流側先端部に設けられた吹出開口より居室内に吹き出して、居室内の冷暖房を行う冷暖房システムである。以下、実施例２の冷暖房システムにつき、図を用いて更に詳細に説明する。
【００２３】
図４に示すように、居室１の上面において、断熱材２１を下面に貼着した天井仕切り板２２および天井材２３との間に天井空間２４を形成し、前記居室１の壁際に設置された空気調和機や蓄熱暖房機等の冷・温風生成機２５の上方に送気延長管２６を前記天井空間２４まで延設して、該天井空間２４内の送気延長管２６に、筒状のガラスクロスより成るダクト２７の一端部を連結して、該ダクト２７内に前記冷風または温風が送気できるよう形成されている。
【００２４】
前記ダクト２７は、前記冷風または温風が送気されてチューブ状に膨らむことができるよう、柔軟性を有すると共に、不燃性、強度性、耐熱性および耐熱性を備え、更に該ダクト２７内に送気された冷風または温風が漏洩するのを防止すべく、表裏面に塩化ビニール樹脂系塗装を施したガラスクロスにより形成されている。なお、前記ダクト２７の他端部は密封することなく開口されて、排気開口２８が形成されている。
【００２５】
前記ダクト２７内の適位置には、金属製の天板２９を備えた円筒状の器３０の側面に開口部３１を開口すると共に、下部円筒部３２を上部円筒部３３の１／２径程度の小径に絞り込んだ吹出口３４を備えて逆ボトル状に形成された気流方向変換器３５が、天井材２３との間に隙間を設けて間隔を置いて複数個設置され、更に図５に示すように前記ダクト２７内に配置された各気流方向変換器３５の外周面と該ダクト２７の内周面間には、送気用通路３６が形成されている。
【００２６】
前記各気流方向変換器３５は、前記冷・温風生成機２５から送気された冷風または温風が流れ込む開口部３１を、その開口面積を送風方向に対して上流側が狭く、下流側に行くに従い広くなるよう、図４に示すように、該開口部３１の位置をそれぞれずらして、水平気流と対向するようそれぞれ間隔を有してダクト２７内に配置すると共に、前記各気流方向変換器３５の下部を前記ダクト２７を破断して、該ダクト２７下面に突出させて、該ダクト２７のガラスクロスを前記下部の外周面に紐あるいは接着剤等により、締め付けあるいは貼着して密着固定し、更に前記天井仕切り板２２の下面に垂設固定された金属製支持金物３７の下端部を、前記気流方向変換器３５の前記突出した下部の外周面に固着して、該気流方向変換器３５が前記ダクト２７内において動揺することなく固定されている。なお、図５においては、ダクト２７のガラスクロスを前記各気流方向変換器３５の下部の外周面に紐３８で締め付けている状態が図示されている。
【００２７】
前記のように、前記ダクト２７内に前記複数個の気流方向変換器３５を、風速が速い上流側から風速が遅い下流側への送風が、前記各気流方向変換器３５の各開口部３１から流れ込む量を調整するために、前記各開口部３１の位置を上流側から下流側方向に行くに従い徐々に開口面積が広がるよう、図４に示すように、間隔を有してその位置をずらして配置することにより、前記冷・温風生成機２５に近接した位置の送風量は多く、且つ流速も速く、下流側に行くに従い、徐々に送風量も少なく、流速も遅くなるので、前記開口部３１に平均に送風が流れ込むことができる。また、前記ダクト２７は、耐熱性および断熱性を備えているため、ダクト２７内に送気された冷風または温風による冷気または暖気が、前記各気流方向変換器３４に到達する前に該ダクト２７外へ抜けてしまうことがない。なお、図中、５０は断熱材５１を付設した居室１の壁であり、また、５４は断熱材５５を付設した床部材である。
【００２８】
前記構成より成るダクト２７内に冷・温風生成機２５で生成された冷風または温風を送気すると、先ず１番上流側の気流方向変換器３５へ流れてその開口部３１へ流れ込むが、前記１番上流側の気流方向変換器３５の開口部３１へ流れ込まなかった前記冷風または温風は、前記１番上流側の気流方向変換器３５の外周面と前記ダクト２７の内周面間の送気用通路３６を経て、２番目に位置する気流方向変換器３５へ流れ、その開口部３１へ流れ込む。以下同様にして、最終位置の気流方向変換器３５へ流れて、その開口部３１へ流れ込むよう形成されている。
【００２９】
また、前記ダクト２７内に送気された冷風または温風は、水平気流となって流れ、前記各開口部３１に平均に送風が流れ込むことができるよう、その開口部３１の位置をずらして間隔を有して複数個配置された各気流方向変換器３５の開口部３１から前記冷風または温風が流れ込み、そして前記流れ込んだ冷風または温風は、図６の矢印で示すように、気流方向変換器３５の内周壁面に沿って流れを垂直気流に変換して下降し、口径を絞り込んだ吹出口３４より流速を速めて天井材２３の上面に風速をほぼ均一にして噴射されて、該天井材２３の上面で冷風または温風を放射状に拡散させ、天井材２３全面を平均してむらなく冷却または加熱して、該天井材２３から生じる冷輻射または温輻射熱の効果を高めて、居室１内の天井輻射冷暖房を行うことができる。
【００３０】
そして、前記天井材２３を冷却または加熱した後の冷風または温風、および前記各気流方向変換器３５で捕捉されず、ダクト２７の先端の排気開口２８から排気される冷風または温風は、天井空間２４を通過して、天井材２３の下流側先端部に設けられた吹出開口３９から居室１内に吹き出されて、該居室１内の空気を冷却または加熱し、その後、前記冷却または加熱した後の空気は、冷・温風生成機２５に吸気されて再び冷却または加温して循環利用される。
【００３１】
なお、前記説明においては、冷・温風生成機２５に１本のダクト２７が連結されているものとして説明したが、冷・温風生成機２５に図示していない分岐管を設け、該分岐管を介して、複数本のダクト２７を連結することも可能である。
【実施例３】
【００３２】
本発明の実施例３を図７を用いて詳細に説明する。本発明の実施例３は実施例１の変形であって、実施例１によるダクトの他端部は開口されて排気開口が形成されているのに対し、実施例３のダクト４１は他端部が密封４２されている点のみが異なり、他の構成は実施例１と同一であるので、同一符号を付したが、同一符号を付した部材の作用も実施例１と同一であるので説明は省略する。すなわち、実施例３によるダクト４１は他端部が密封４２されているので、冷・温風生成機７で生成された冷・温風の風量が少ない場合に採用され、冷・温風はすべて各気流方向変換器１５の開口部１２から流れ込み、床下地ボード４の下面に風速をほぼ均一にして垂直に噴射させて、冷風または温風を放射状に拡散させ、該床下地ボード４からの熱伝導により床仕上材５全面を平均してむらなく冷却または加熱して、該床仕上材５から生じる冷輻射または温輻射熱の効果を高めて、居室１内の床輻射冷暖房を行うことができる。
【実施例４】
【００３３】
本発明の実施例４を図８を用いて詳細に説明する。本発明の実施例４は実施例２の変形であって、実施例２によるダクトの他端部は開口されて排気開口が形成されているのに対し、実施例４のダクト４６は他端部が密封４７されている点のみが異なり、他の構成は実施例２と同一であるので、同一符号を付したが、同一符号を付した部材の作用も実施例２と同一であるので説明は省略する。すなわち、実施例４によるダクト４６は他端部が密封４７されているので、冷・温風生成機２５で生成された冷・温風の風量が少ない場合に採用され、冷・温風はすべて各気流方向変換器３５の開口部３１から流れ込み、天井材２３の上面に風速をほぼ均一にして垂直に噴射されて、該天井材２３の上面で冷風または温風を放射状に拡散させ、天井材２３全面を平均してむらなく冷却または加熱して、該天井材２３から生じる冷輻射または温輻射熱の効果を高めて、居室１内の床輻射冷暖房を行うことができる。
【符号の説明】
【００３４】
１  居室、  ２  断熱材、  ３  コンクリートスラブ、４  床下地ボード、５  床仕上材、６  床下空間、  ７  冷・温風生成機、  ８  送気管、９  ダクト、  １０  排気開口、  １１  器、  １２  開口部、  １３  上部円筒部、  １４  下部円筒部、  １５  吹出口、  １６  気流方向変換器、  １７  送気用通路、  １８  金属製支持金物、  １９  紐、  ２０  吹出開口、  ２１  断熱材、
２２  天井仕切り板、  ２３  天井材、  ２４  天井空間、  ２５  冷・温風生成機、  ２６  送気延長管、  ２７  ダクト、  ２８  排気開口、  ２９  天板、  ３０  器、  ３１  開口部、  ３２  下部円筒部、  ３３  上部円筒部、  ３４  吹出口、  ３５  気流方向変換器、  ３６  送気用通路、  ３７  金属製支持金物、  ３８  紐、  ３９  吹出開口、  ４１  ダクト、  ４２  密封、  ４６  ダクト、  ４７  密封、  ５０  居室の壁、  ５１  断熱材、  ５２
天井部材、  ５３  断熱材、  ５４  床部材、  ５５  断熱材。
【要約】
【課題】床仕上材全面を効率よく平均して冷却または加熱して、該床仕上材から生じる冷輻射や温輻射により居室内を輻射冷暖房する。
【解決手段】冷・温風生成機７で生成された冷風または温風が流れ込む開口部１２を備えた気流方向変換器１６を、筒状のガラスクロスより成るダクト９内に、間隔を有して複数個、下流側に行くに従い、前記開口部１２の位置を送風方向に対して徐々に面積が広がる位置に配置するようにして設置し、冷風または温風の水平気流を前記気流方向変換器１６で垂直気流に変換し、その風速をほぼ均一にして床下地ボード４に噴射して放射状に拡散させて、該床下地ボードからの熱伝導により床仕上材５全面を平均して冷却または加熱して、該床仕上材５から生じる冷輻射や温輻射により居室１内を輻射冷暖房する。
【選択図】図１【図１】
0005466776.tif 000002
【図２】
0005466776.tif 000003
【図３】
0005466776.tif 000004
【図４】
0005466776.tif 000005
【図５】
0005466776.tif 000006
【図６】
0005466776.tif 000007
【図７】
0005466776.tif 000008
【図８】
0005466776.tif 000009